(57)【要約】　　　（修正有）【課題】内燃機関用ダイレクトイグニッションにおいて、内燃機関内の省スペース化を実現し、点火火花を強くし、スペースおよびコスト及び発熱等による内燃機関のトラブルを解消した点火用装置を提供する。【解決手段】点火火花を強くするため、点火プラグ装着金具３または芯線２の途中から接合または接触させたこの抵抗入り（抵抗無しでも可）正極１３に絶縁体材料１４を被せ、更にその上から負極１１を被せ、更にその上から絶縁体被覆１２を被せる。後で負極１１の先端にターミナル１０を取り付ける。ターミナルは内燃機関の接地に接合もしくは接触させる。【選択図】　　　　　図３
2004084651.tif 000002
【特許請求の範囲】
【請求項１】
従来の内燃機関用点火プラグゴードから点火プラグに点火時に送られる電力において、前記点火火花を強くする装置は点火プラグが点火した際に生じる逆起電力を静電エネルギーとして蓄え、次に点火プラグを点火する際に放電する構造のもので、正極負極の電極を有し正電極を内燃機関用点火プラグゴードに接合もしくは接触させ、負電極を内燃機関の接地に接合もしくは接触させることにより点火火花を強くするようにしたことを特徴とする点火用装置である。
【請求項２】
従来の内燃機関用ダイレクトイグニッションから点火プラグに点火時に送られる電力において、前記点火火花を強くする装置は点火プラグが点火した際に生じる逆起電力を静電エネルギーとして蓄え、次に点火プラグを点火する際に放電する構造のもので、正極負極の電極を有し正電極を内燃機関用点火プラグゴードに接合もしくは接触させ、負電極を内燃機関の接地に接合もしくは接触させることにより点火火花を強くするようにしたことを特徴とする点火用装置である。
【請求項３】
前記点火用装置は、導電性の材料または電気抵抗を持つ材料で通電線を構成し正極とする。その周囲を絶縁体材料で被い、その周囲を導電性の材料または電気抵抗を持つ材料で包むように被い負極とする。さらにその外周を絶縁材で被うように構成するものであって、前記正極に点火プラグゴードに接合もしくは接触させるための電極端部、負極に内燃機関の接地に接合もしくは接触させる電極端部を構成する。請求項１および請求項２に記載の点火用装置。
【請求項４】
前記点火用装置は、従来の内燃機関用ダイレクトイグニッションを構成するコイルからプラグ端子部を覆うケースの外周に導電性の材料または電気抵抗を持つ材料を外周もしくは一部に通電線を構成し正極とする。その外周もしくは一部を絶縁体材料で被い、その外周もしくは一部を導電性の材料または電気抵抗を持つ材料で包むように被い負極とする。さらにその外周もしくは一部分を絶縁材で被うように構成するものであって、前記正極に点火プラグゴードに接合もしくは接触させるための電極端部、負極に内燃機関の接地に接合もしくは接触させる電極端部を構成する。請求項２に記載の点火用装置。
【請求項５】
前記点火用装置は正極を構成する導電性の材料または電気抵抗を持つ材料および負極を構成する導電性の材料または電気抵抗を持つ材料と正極負極の電極間にはさまる絶縁材の各材質の組み合わせとその厚さ、長さ、幅からなる質量の組み合わせから、各内燃機関に適する静電エネルギーを蓄える容量を容易に調整できることを特徴とする。
【請求項６】
前記点火用装置の静電エネルギーを蓄える容量は、点火プラグコード用装置を１個とした場合、複数個を並列もしくは直列に内燃機関用点火プラグゴードおよび内燃機関用ダイレクトイグニッションに接合もしくは接触させることで容易に調整できることを特徴とする。
【請求項７】
前記点火用装置の接続は、内燃機関用点火プラグゴードおよび内燃機関用ダイレクトイグニッションのプラグ端子もしくは通電線、抵抗入り通電線に正電極を接合もしくは接触させ、負電極を内燃機関の接地に接合もしくは接触させることを特徴とする。
【発明の詳細な説明】
【０００１】
【発明の属する技術分野】この発明は、内燃機関の点火プラグの点火に関し、内燃機関用点火プラグゴードおよび内燃機関用ダイレクトイグニッションシステムに点火用装置を設置または構成にすることで、点火プラグの点火火花を強くし内燃機関の燃焼効率を良くすることを目的とする。
【０００２】
【従来の技術】
従来の内燃機関用プラグコードの形状は、図１に示すようにカーボンまたはケブラーまたは、バリアブルピッチ芯線２により高い抵抗値を定め、本来プラグコードが目的とする送電性能と相反する機能を持たせているために、効率良く点火火花を強くすることができなかった。
【０００３】
従来の内燃機関用ダイレクトイグニッションの形状は、図２に示すように近年エンジンルームの省スペース化を実現する為にプラグコードを用いずイグニッションコイル８，９を各プラグに持たせている。
しかし、省スペース化のため、サイズが限定されコイル容量が制限され効率良く点火火花を強くすることができなかった。
【０００４】
【発明が解決しようとする課題】
従来の内燃機関用プラグコードの技術によれば、抵抗値を限りなく小さくすることで点火火花を強くすることは可能だが、点火系等から電波障害が発生し内燃機の制御用機器やオーディオ機器に点火ノイズが入ってしまいました。
【０００５】
そこで、この発明は、内燃機関用点火プラグコードの電圧強化装置を変えずに点火火花が強くなる点火用装置を提供することを課題とする。
【０００６】
従来の内燃機関用プラグコードの技術によれば、供給する電力の電圧を上げれば点火火花を強く出来るが、気筒の位置によりプラグコードの長さが異なるため従来から問題になっている各気筒内における点火火花の強さのバラツキによる燃焼効率の悪化をさらに促進することになった。
【０００７】
そこで、この発明は、内燃機関用点火プラグコードの電圧強化装置を変えずに各気筒ごとの点火火花の大きさを均一にする点火用装置を提供することを課題とする。
【０００８】
従来の内燃機関用ダイレクトイグニッションの技術によれば、イグニッションコイルの容量を大きくすることで点火火花を強くすることは可能だが、省スペース化の目的とは異なり、また決められたスペースに無理にコイルを巻くことによる、発熱等の問題が有り、内燃トラブルの要因になった。
【０００９】
そこで、この発明は、内燃機関用ダイレクトイグニッションの電圧強化装置を変えずに点火火花が強くなる点火用装置を提供することを課題とする。
【００１０】
【課題を解決するための手段】
以上の課題を解決するために、請求項１の発明は、内燃機関用プラグコードによる燃料着火時にノイズを押さえ点火火花を強くすることを特徴とする点火用装置である。
【００１１】
また、請求項２の発明は、内燃機関用ダイレクトイグニッションによる燃料着火時にスペースメリットを生かした状態で、点火火花を強くすることを特徴とする点火用装置である。
【００１２】
また、請求項３の発明は、逆起電力を静電エネルギーとして効率良く蓄え、放電することにより、点火火花を強くすることを特徴とする請求項１および請求項２に記載の点火用装置である。
【００１３】
また、請求項４の発明は、逆起電力を静電エネルギーとして効率良く蓄え、放電することにより、点火火花を強くすることを特徴とする請求項２に記載の点火用装置である。
【００１４】
また、請求項５の発明は、多気筒型内燃機関の各気筒における点火火花の出力を均一にし、燃焼効率向上をはかりながら、点火火花を強く出来ることを特徴とする点火装置である。
【００１５】
また、請求項６の発明は、各内燃機関に点火用装置を複数個用いることにより、更に点火火花を強く出来ることを特徴とする。
【００１６】
また、請求項７の発明は、逆起電力を効率良く蓄電し放電させることにより、更に点火火花を強く出来ることを特徴とする。
【００１７】
【発明の実施の形態】以下にこの発明の各実施形態について図面を参照して詳細に説明する。
この発明の一実施形態を、図３に示す。
内燃機関用プラグコード本体１からなり、点火プラグ装着金具３から抵抗入り（抵抗無しでも可）正極１３が接合もしくは接触して出ている。この抵抗入り（抵抗無しでも可）正極１３に絶縁体材料１４を被せ、更にその上から負極１１を被せ、更にその上から絶縁体被覆１２を被せる。後に負極１１の先端にターミナル１０を取り付ける。ターミナルは内燃機関の接地に接合もしくは接触させる。
【００１８】
【実施形態の効果】
この実施形態によれば、抵抗入り（抵抗無しでも可）正極１３、絶縁体材料１４、負極１１、絶縁体被覆１２、ターミナル１０の働きにより点火火花が強くなる。また抵抗入り（抵抗無しでも可）正極１３の長さまたは、抵抗の値を変えることで各気筒ごとの点火火花の大きさを均一にすることが出来る。したがって内燃機の燃焼効率が良くなり、排出ガスの削減につながる。
【００１９】
【発明の実施の形態】
この発明の一実施形態を、図４に示す。
内燃機関用ダイレクトイグニッション本体２，３，８，９，１３からなり、点火プラグ装着金具３から抵抗入り（抵抗無しでも可）正極１３が接合もしくは接触して出ている。この抵抗入り（抵抗無しでも可）正極１３に絶縁体材料１４を被せ、更にその上から負極１１を被せ、更にその上から絶縁体被覆１２を被せる。後に負極１１の先端にターミナル１０を取り付ける。ターミナルは内燃機関の接地に接合もしくは接触させる。
【００２０】
【実施形態の効果】
この実施形態によれば、抵抗入り（抵抗無しでも可）正極１３、絶縁体材料１４、負極１１、絶縁体被覆１２、ターミナル１０の働きにより点火火花が強くなる。したがって内燃機の燃焼効率が良くなり、排出ガスの削減につながる。
【００２１】
【発明の実施の形態】
この発明の一実施形態を、図５に示す。
内燃機関用ダイレクトイグニッション本体２，３，８，９，１３からなり、点火プラグ装着金具３から抵抗入り（抵抗無しでも可）正極１３が接合部１５で接合もしくは接触してイグニッションコイルＢ部に被せる。この抵抗入り（抵抗無しでも可）正極１３に絶縁体材料１４を被せ、更にその上から負極１１を被せ、更にその上から絶縁体被覆１２を被せる。後に負極１１の先端にターミナル１０を取り付ける。ターミナルは内燃機関の接地に接合もしくは接触させる。
【００２２】
【実施形態の効果】
この実施形態によれば、抵抗入り（抵抗無しでも可）正極１３、絶縁体材料１４、負極１１、絶縁体被覆１２、ターミナル１０の働きにより点火火花が強くなる。したがって内燃機の燃焼効率が良くなり、排出ガスの削減につながる。
【００２３】
【他の実施形態】
図１，図２、図３いずれの実施形態において、抵抗入り（抵抗無しでも可）正極１３、絶縁体材料１４、負極１１、絶縁体被覆１２、ターミナル１０の働きにより点火火花が強くなるであったが、点火プラグ装着金具３または芯線２の途中から抵抗入り（抵抗無しでも可）正極１３と接合もしくは接触させても良い。
【００２４】
【発明の効果】
以上説明したように、この発明によれば、内燃機関用プラグコード及び内燃機関用ダイレクトイグニッションなどの電圧強化装置を変えずに点火火花を強くすることが出来る。
【図面の簡単な説明】
【図１】従来の内燃機関用プラグコードの、全体の概略および要部を示す側面図である。
【図２】従来の内燃機関用ダイレクトイグニッションの、全体の概略および要部を示す側面図である。
【図３】内燃機関用プラグコードにおけるこの発明の、一実施形態を示す全体の概略および要部の側面図である。
【図４】内燃機関用ダイレクトイグニッションにおけるこの発明の、一実施形態を示す全体の概略および要部の側面図である。
【図５】内燃機関用ダイレクトイグニッションにおけるこの発明の、一実施形態を示す全体の概略および要部の側面図である。
【符号の説明】
１、プラグコード　　２、芯線　　３、点火プラグ装着金具　　４、プラグキャップ　　５、ディストロビュータ接続金具　　６、キャップ　　７、スパークプラグ　　８、イグニッションコイルＢ部　　９、イグニッションコイルＡ部　１０、ターミナル　　１１、負極　　１２、絶縁体被覆　　１３、正極　　１４、絶縁体材料　　１５、接合部
【図１】
2004084651.tif 000003
【図２】
2004084651.tif 000004
【図３】
2004084651.tif 000005
【図４】
2004084651.tif 000006
【図５】
2004084651.tif 000007